(57)【要約】【課題】複数のインサートの位置調整を簡単かつ確実に行うことができ、切刃の振れ調整作業に要する時間と労力を大幅に削減できるとともに、高い切刃振れ精度を得ることができるインサート式エンドミルを提供する。【解決手段】軸線Ｏに沿って延びるシャンク部２Ａと刃先部２Ｂとを有し、刃先部２Ｂの先端側外周にインサート２１が装着されたインサート式エンドミル１であって、複数形成された取付座４のうちのひとつは、装着されたインサート２１の切刃２６の軸線Ｏ方向位置が固定された基準取付座４Ａとされ、残りの取付座４は、装着されたインサート２１の切刃２６の軸線Ｏ方向位置を調整する調整機構が備えられた調整取付座４Ｂとされ、基準取付座４Ａに装着されたインサート２１の切刃２６は、調整取付座４Ｂに装着されて前記調整機構による位置調整を行う前のインサート２１の切刃２６よりも刃先部２Ｂ先端面から突出されていることを特徴とする。【選択図】図１
2007136573.tif 000002
【特許請求の範囲】
【請求項１】
軸線に沿って延びるシャンク部と、該シャンク部の先端側に配置された刃先部とを有し、前記刃先部の先端側外周に複数の取付座が形成され、該取付座に、切刃を有するインサートが着脱自在に装着されて、該インサートの前記切刃が前記刃先部の先端面から突出するように配置されたインサート式エンドミルであって、
複数形成された前記取付座のうちのひとつは、装着された前記インサートの前記切刃の前記軸線方向位置が固定された基準取付座とされ、
残りの前記取付座は、装着された前記インサートの前記切刃の前記軸線方向位置を調整する調整機構が備えられた調整取付座とされ、
前記基準取付座に装着された前記インサートの前記切刃は、前記調整取付座に装着されて前記調整機構による位置調整を行う前の前記インサートの前記切刃よりも前記刃先部先端面から突出されていることを特徴とするインサート式エンドミル。
【請求項２】
前記調整取付座に装着されて前記調整機構による位置調整を行う前の前記インサートの前記切刃と、前記基準取付座に装着された前記インサートの前記切刃との前記軸線方向の差が、０．０１ｍｍから０．１０ｍｍの範囲内に設定されていることを特徴とする請求項１に記載のインサート式エンドミル。
【請求項３】
前記調整機構は、前記調整取付座の刃先部後端側に穿設されて前記軸線方向に交差する方向に延びる孔部と、前記孔部に挿入可能な形状とされて弾性変形することにより前記インサートの側面を押圧して前記インサートの位置を調整する調整ピースとで構成され、
前記調整ピースは、筒体状に形成され、該筒体の軸線に沿って延びるスリットが形成されるとともに、前記筒体の内周部分には、雄ネジ部と該雄ネジ部より大径の頭部とを有する調整ネジが挿通され、
前記雄ネジ部が前記孔部の底面に螺着されるとともに、前記頭部が前記調整ピースの内周面に当接させられており、前記調整ピースの内周面又は前記調整ネジの前記頭部の少なくとも一方には、前記調整ピースの挿入方向とは反対側に向かうにしたがい径が漸次拡大する拡径部が設けられたことを特徴とする請求項１または請求項２に記載のインサート式エンドミル。
【請求項４】
前記基準取付座及び前記調整取付座の刃先部径方向外側を向く壁面にクランプネジ孔が形成されており、
前記インサートには、該インサートの厚さ方向に延びるネジ挿通孔が形成され、該ネジ挿通孔に挿通されたクランプネジが前記クランプネジ孔に螺着されて、前記インサートが装着されることを特徴とする請求項１から請求項３のいずれかに記載のインサート式エンドミル。
【請求項５】
前記インサートの工具回転方向前方側を向く面がすくい面とされ、該すくい面全面にダイヤモンド層が形成されていることを特徴とする請求項１から請求項４のいずれかに記載のインサート式エンドミル。
【発明の詳細な説明】
【技術分野】
【０００１】
本発明は、切刃を有するインサートが着脱可能に装着されたインサート式エンドミルに関する。
【背景技術】
【０００２】
従来、被切削材に対して溝加工や狭い平面の仕上げ加工等を施す切削工具として、切刃が工具本体の先端側及び外周側に向けられたエンドミルが提供されている。この種のエンドミルとしては、工具本体に切刃が固定されているソリッドエンドミルと、工具本体に、切刃を有するインサートが着脱可能に装着されたインサート式のエンドミルとがある。
【０００３】
ソリッドエンドミルは、切刃の位置が固定されているので、このエンドミルを製作する際に切刃の工具本体先端面からの突出量を調整して形成することで、各切刃の振れ（切刃の突出量の最大値と最小値との差）を精度良く一致させることができるものである。また、工具本体を切り欠く部分が少なくて済むので、特に小径のエンドミルであっても剛性を確保できるものである。
【０００４】
ところが、このようなソリッドエンドミルでは、切刃の位置調整ができないので、使用によって切刃が摩耗して再研磨した場合に、切刃の振れ調整をすることができず、被切削材の加工面を精度良く仕上げることができなくなってしまう。そこで、このようなソリッドエンドミルでは、切刃を再研磨して使用できず寿命が短くなり、使用コストが高くなってしまうといった問題があった．
【０００５】
一方、インサート式エンドミルは、切刃を有するインサートが着脱可能に装着されているので、インサートの切刃が摩耗した場合には、このインサートを交換すれば再度使用することができるものである。
ここで、複数のインサートを備えたインサート式エンドミルにおいては、各インサートの切刃の突出量が異なって切刃の振れが大きい場合に、大きく突き出された切刃が優先的に磨耗してしまいインサートの交換頻度が高くなったり、被切削材の仕上げ面の面粗度が劣化したりしてしまうので、各インサートの切刃の工具本体からの突出量が同一となるように、高い切刃振れ精度が備わっていなければならない。すなわち、各インサートの切刃が描く工具本体の軸線Ｏ回りの回転軌跡が一致するようにインサートが装着されていなければならないのである。
【０００６】
そこで、インサートの位置を移動させて各切刃の突出量を調整するための調整機構を備えたインサート式エンドミルが提案されている。
インサートの位置調整機構としては、取付座の工具本体回転方向後方側の壁面と取付座の工具回転方向前方側に挿入されたクサビ部材との間でインサートを挟装し、このインサートの工具本体後端側を向く側面を、調整ネジの先端部で押圧したり調整クサビの押圧面で押圧したりして、インサートの切刃を工具本体から突出させるものがある。
【０００７】
また、インサートを取付座にクランプネジにて装着し、やはり、このインサートの工具本体後端側を向く側面を、調整ネジの先端部で押圧したり調整クサビの押圧面で押圧したりしてクランプネジを弾性変形させて、切刃を工具本体から突出させる機構のものも提供されている。
従来のインサート式エンドミルでは、上述のような調整機構がすべての取付座に備えられ、取付座に装着されたすべてのインサートの位置調整を行うことができ、切刃の振れを小さくすることができる。
【０００８】
このような調整機構が備えられたインサート式エンドミルは、調整ネジや調整クサビによってインサートの位置を移動させて切刃の振れ調整を行った後に、工具本体をその軸線Ｏ回りに高速回転されつつ軸線Ｏと交差する方向に送られることにより、インサートの工具本体径方向外側及び工具本体先端側に向けられた切刃によって被切削材を切削していくものである。
【特許文献１】特開２００２−３５５７１６号公報
【発明の開示】
【発明が解決しようとする課題】
【０００９】
ところで、従来の調整機構が設けられたインサート式エンドミルにおいては、切刃の振れ調整は次のような手順で行われている。まず、すべての取付座にインサートを装着し、それぞれのインサートの切刃の突出量を確認する。最も切刃が突出した取付座のインサートを強固に固定した後に、この取付座に装着されたインサートの切刃の突出量を基準として、他のインサートの位置調整を行うのである。
【００１０】
このように切刃の振れ調整を行う際には、まず、切刃が最も突出した取付座を見つけ出す必要があるが、工具本体から僅かに突出した切刃の突出量の違いを見つけ出すことは容易ではなく、振れ調整に多くの時間と労力を要するものであった。
また、基準となる取付座にもインサートの位置調整機構が備えられているので、インサートを強固に固定しようとした際にインサートが動いてしまうおそれがあった。インサートが動いてしまった場合には、切刃の突出量が変化してしまうので、再度切刃の突出量を確認する必要があった。
【００１１】
また、基準となる取付座がインサートを交換するたびに変わってしまうとともに複数の切刃の突出量を調整する必要があるので、切刃の振れ調整を行っている間に、基準とした取付座を取り違えてしまうおそれがあった。切刃の振れ調整が終了したと誤認したままで加工した場合には、被切削材が加工不良となってしまったり、インサートが破損したりするといったトラブルが発生するおそれがあった。
【００１２】
この発明は、上述した事情に鑑みてなされたものであって、複数のインサートの位置調整を簡単かつ確実に行うことができ、切刃の振れ調整作業に要する時間と労力を大幅に削減できるとともに、高い切刃振れ精度を得ることができるインサート式エンドミルを提供することを目的とする。
【課題を解決するための手段】
【００１３】
上記課題を解決するために、この発明は、軸線に沿って延びるシャンク部と、該シャンク部の先端側に配置された刃先部とを有し、前記刃先部の先端側外周に複数の取付座が形成され、該取付座に、切刃を有するインサートが着脱自在に装着されて、該インサートの前記切刃が前記刃先部の先端面から突出するように配置されたインサート式エンドミルであって、複数形成された前記取付座のうちのひとつは、装着された前記インサートの前記切刃の前記軸線方向位置が固定された基準取付座とされ、残りの前記取付座は、装着された前記インサートの前記切刃の前記軸線方向位置を調整する調整機構が備えられた調整取付座とされ、前記基準取付座に装着された前記インサートの前記切刃は、前記調整取付座に装着されて前記調整機構による位置調整を行う前の前記インサートの前記切刃よりも前記刃先部先端面から突出されていることを特徴としている。
【発明の効果】
【００１４】
この構成のインサート式エンドミルにおいては、インサートの切刃の位置が固定された基準取付座が設けられ、この基準取付座に装着されたインサートの突出量が、残りの調整取付座に装着されたインサートの切刃よりも刃先部先端面から突出するように設定されているので、インサートをすべての取付座に装着した段階で、必ず基準取付座の切刃突出量が最も大きくなり、切刃の振れ調整を行う際に、基準取付座の切刃を基準として調整することができ、切刃振れ調整に要する時間と労力を大幅に削減することができる。
【００１５】
また、基準取付座には切刃の位置を調整する調整機構が備えられていないので、基準取付座に装着したインサートが動いてしまうことがなく、基準となる切刃の突出量が安定することになる。よって、切刃の振れ調整作業中に基準となる突出量が変化することがなく、高い切刃振れ精度を得ることができる。
さらに、基準取付座に装着されたインサートの切刃が必ず最も突出しており、この切刃を基準として切刃の振れ調整を行うことができるので、切刃の振れ調整作業中に基準となる取付座を取り違えることがなく、確実かつ簡単に切刃の振れ調整を行うことができる。よって、インサート式エンドミルの切刃の振れを小さくできるので、被切削材の切削を容易に行うことができて仕上げ面を滑らかに仕上げることができるとともに、優先摩耗してしまうインサートがなくインサートの交換頻度を低くすることができる。
【００１６】
ここで、前記調整取付座に装着されて前記調整機構による位置調整を行う前の前記インサートの前記切刃と、前記基準取付座に装着された前記インサートの前記切刃との前記軸線方向の差を、０．０１ｍｍから０．１０ｍｍの範囲内に設定することにより、インサートを基準取付座に装着した際の突出量を切削加工に適した範囲内に設定することができ、切刃の突出量が大きすぎて切削時にインサートが破損するといったトラブルや、逆に切刃の突出量が小さすぎて刃先部が被切削材と摺動してしまうといったトラブルを防止することができる。
【００１７】
また、前記調整機構を、前記調整取付座の刃先部後端側に穿設されて前記軸線方向に交差する方向に延びる孔部と、弾性変形することで前記インサートの側面を押圧して前記インサートの位置を調整する調整ピースとで構成し、前記調整ピースを、筒体状に形成し、該筒体の軸線に沿って延びるスリットを形成するとともに、前記筒体の内周部分に、雄ネジ部と該雄ネジ部より大径の頭部とを有する調整ネジを挿通し、前記雄ネジ部が前記孔部の底面に螺着されるとともに前記頭部が前記調整ピースの内周面に当接させられ、前記調整ピースの内周面又は前記調整ネジの前記頭部の少なくとも一方に前記調整ピースの挿入方向とは反対側に向かうにしたがい径が漸次拡大する拡径部が設けたものとすることにより、調整ネジをねじ込んだり緩めたりすることでインサートの振れ出し量を進退可能に調整できるので、インサートの位置調整を簡単にかつ精度良く行うことができる。
【００１８】
つまり、調整ネジをねじ込むことで調整ネジの頭部が調整ピースの内方に移動し、スリットを有する調整ピースが押し広げられるように弾性変形して取付座に装着されたインサートが押圧され、調整ネジを緩めることにより、調整ネジの頭部が調整ピースの外方に移動し、押し広げられていた調整ピースが弾性復帰してインサートを押圧する押圧力が弱まることになり、調整ネジのねじ込み量を調整することでインサートの位置を調整することができるのである。
【００１９】
また、調整ピースが弾性変形することで調整ネジ自体も締め付けられるように押圧されるので、このエンドミルを高速回転した際でも調整ネジが緩んでしまうことが防止され、切刃の振れ精度を維持したままインサートを強固に固定することができる。
また、調整機構を備えるために工具本体を切り欠く部分が、調整ピースが挿入される孔部のみであるので、工具本体を切り欠く部分を小さくすることができ、このエンドミルの剛性を確保できるとともに、小径のエンドミルであってもインサートの調整機構を備えることができる。
【００２０】
さらに、前記基準取付座及び前記調整取付座の刃先部径方向外側を向く壁面にクランプネジ孔を形成し、前記インサートには、該インサートの厚さ方向に延びるネジ挿通孔が形成され、該ネジ挿通孔に挿通されたクランプネジを前記クランプネジ孔に螺着することにより、前記インサートを装着するように構成することにより、インサートを装着するために刃先部を切り欠く部分を小さくすることができ、このエンドミルの剛性を確保できるとともに、小径のエンドミルであっても刃数を減らす必要がない。
【００２１】
前記インサートの工具回転方向前方側を向く面をすくい面とし、該すくい面全面にダイヤモンド層を形成することにより、このインサートの切刃を再研磨した場合でも、切刃がダイヤモンドで構成されることになり、インサートの寿命延長を図ることができる。また、切刃がダイヤモンドで構成されることにより、被切削材がアルミ及びアルミ合金で構成されていた場合でも良好に切削加工することができる。
【００２２】
このように本発明によれば、複数のインサートの位置調整を簡単かつ確実に行うことができ、切刃の振れ調整作業に要する時間と労力を大幅に削減できるとともに、高い切刃振れ精度を得ることができるインサート式エンドミルを提供することができる。
【発明を実施するための最良の形態】
【００２３】
以下に、本発明の実施形態であるインサート式エンドミルについて添付した図面を参照にして説明する。
このインサート式エンドミル１は、軸線Ｏを中心にした円柱状をなすシャンク部２Ａと、このシャンク部２Ａの先端側（図１において下側）に配置された刃先部２Ｂとからなる工具本体２を有している。本実施形態では、図１に示すように、刃先部２Ｂはシャンク部２Ａよりも一段大径とされている。
【００２４】
この刃先部２Ｂの先端側外周部には、刃先部２Ｂの外周面及び先端面に開口するように、複数のチップポケット３が形成されており、これらのチップポケット３の工具回転方向Ｔ後方側には、それぞれ取付座４が設けられている。本実施形態では、図２に示すように、４つのチップポケット３及び取付座４が、周方向に９０°間隔で形成されている。
【００２５】
取付座４の工具回転方向Ｔ前方側を向く壁面６は、図３および図４に示すように、刃先部２Ｂ先端側に向かうにしたがい工具回転方向Ｔ前方側に向かうように傾斜している。また、取付座４の刃先部２Ｂ径方向外側を向く壁面５は、図１に示すように、刃先部２Ｂ先端側に向かうにしたがい刃先部２Ｂ径方向内側に後退するように傾斜している。そして、この取付座４の刃先部２Ｂ径方向外側を向く壁面５に、刃先部２Ｂ径方向内側に向けて延びるように、インサート２１を装着するためのクランプネジ７と螺合されるクランプネジ孔が形成されている。
【００２６】
複数設けられた取付座４のうちのひとつが基準取付座４Ａとされ、この基準取付座４Ａを除く残りの取付座４が調整取付座４Ｂとされている。
図３に示すように、基準取付座４Ａの刃先部２Ｂ後端側には、インサート２１の刃先部２Ｂ後端側を向く側面と当接される当接面８が、刃先部２Ｂ自体に直接形成されている。この当接面８は、工具回転方向Ｔ前方側に向かうにしたがい漸次刃先部２Ｂ後端側に後退するように傾斜させられている。
【００２７】
一方、調整取付座４Ｂの刃先部２Ｂ後端側には、刃先部２Ｂ径方向内側に向けて延びるように孔部９が穿設されている。この孔部９は、その断面が長円形状に形成され、調整取付座４Ｂ側の側縁部が該取付座４に向けて開口させられており、この孔部９の刃先部２Ｂ外周側を向く底面には、刃先部２Ｂ径方向内側に向けて延びる調整ネジ孔１０が穿設されている。
【００２８】
この孔部９には、図５及び図６に示す調整ピース１１が挿入される。この調整ピース１１は、孔部９がなす長円形断面に嵌挿可能な外形を有する筒体状をなし、調整取付座４Ｂ側を向く面が平坦面とされ、この平坦面が押圧部１２とされている。調整ピース１１がなす筒体の内面は断面円形状とされており、調整ピース１１の挿入方向と反対側（本実施形態では、刃先部２Ｂ径方向外側）に向かうに従い漸次径が拡大された拡径孔１３が形成され、この拡径孔１３よりも前記挿入方向側は、拡径孔１３と同軸で内径の小さい小径孔１４とされ、調整ピース１１を貫通している。なお、拡径孔１３及び小径孔１４の中心軸線は押圧部１２と平行とされている。
そして、この調整ピース１１には、押圧部１２に平行にかつ小径孔１４の円形断面の中心軸線に沿うように延びるスリット１５が、小径孔１４の途中までの前記押圧部１２が設けられた範囲に形成されている。
【００２９】
この調整ピース１１内には、小径孔１４及び拡径孔１３を貫通するように調整ネジ１６が挿通される。この調整ネジ１６は、先端側が雄ネジ部１７とされ、後端側が雄ネジ部１７よりも大径とされた頭部１８とされており、この頭部１８は、調整ネジ１６の後端側に向かうに従い漸次径が拡大するテーパー状に形成されている。そして、調整ピース１１を孔部９に挿入して、調整ピース１１の内周部分に調整ネジ１６を挿通し、前記雄ネジ部１７を孔部９の刃先部２Ｂ径方向外側を向く底面に形成された調整ネジ孔１０にねじ込むことにより、テーパー状に形成された頭部１８と調整ピース１１の拡径孔１３とが当接するように配置される。
【００３０】
ここで、基準取付座４Ａの刃先部２Ｂ径方向外側を向く壁面５に穿設されたクランプネジ孔は、調整取付座４Ｂの刃先部２Ｂ径方向外側を向く壁面５に穿設されたクランプネジ孔よりも刃先部２Ｂ先端側に０．０１ｍｍから０．１０ｍｍ（本実施形態では０．０２ｍｍ）ずれた位置に設けられている。
【００３１】
これら基準取付座４Ａ及び調整取付座４Ｂに取り付けられるインサート２１は、超硬合金等の硬質材料により構成されたインサート本体２２と、ダイヤモンドで構成された切刃部２３とで構成されている。このインサート２１は、概略四角形平板状をなしており、２つの四角形面を厚さ方向に貫通するように、ネジ挿通孔２４が形成されている。
【００３２】
このインサート２１は、一方の四角形面を刃先部２Ｂ径方向内側に向けて基準取付座４Ａ及び調整取付座４Ｂに装着され、工具回転方向Ｔ前方側を向く側面がすくい面２５とされ、このすくい面２５に沿うように、かつ、すくい面２５全体を覆うように前記切刃部２３が配置されており、このすくい面２５の刃先部２Ｂ径方向外側及び刃先部２Ｂ先端側を向く辺稜部に切刃２６が形成されている。
【００３３】
刃先部２Ｂ径方向外側に向けられた他方の四角形面は、外周逃げ面２７とされており、この他方の四角形面の工具回転方向Ｔ後方側部分には、図２に示すように、工具回転方向Ｔ後方側に向かうにしたがい刃先部２Ｂ径方向内側に後退するような傾斜面が形成されている。
また、刃先部２Ｂ先端側へ向けられた側面は正面逃げ面２８とされ、図１に示すように刃先部２Ｂ径方向内側に向かうにしたがい漸次刃先部２Ｂ後端側へ後退するとともに、図３及び図４に示すように、工具回転方向Ｔ後方側に向かうにしたがい漸次刃先部２Ｂ後端側へ後退するように傾斜させられている。
【００３４】
また、このすくい面２５は、図２に示すように、軸線Ｏ方向から見て切刃部２３径方向外側に向かうにしたがい漸次工具回転方向Ｔ前方側へ突出するように傾斜しており、このインサート２１のラジアルレーキ角は＋１０°とされている。
また、すくい面２５と対向する側面は、すくい面２５と平行に形成されており、前記取付座４の工具回転方向Ｔ前方側を向く壁面６に当接されている。そして、取付座４の工具回転方向Ｔ前方側を向く壁面６が、上述のように刃先部２Ｂ先端側に向かうにしたがい工具回転方向Ｔ前方側に向かうように傾斜しているので、すくい面２５も刃先部２Ｂ先端側に向かうにしたがい工具回転方向Ｔ前方側に向かうように傾斜することになり、このインサート２１のアキシャルレーキ角は＋１０°とされている。
【００３５】
このインサート２１のネジ挿通孔２４にクランプネジ７が挿通されてクランプネジ孔に螺着され、インサート２１が基準取付座４Ａ及び調整取付座４Ｂに装着される。基準取付座４Ａでは、インサート２１の刃先部２Ｂ後端側を向く側面が当接面８に当接するように配置されて固定される。
【００３６】
ここで、基準取付座４Ａでは、クランプネジ孔が調整取付座４Ｂのクランプネジ孔よりも刃先部２Ｂ先端側に形成されているので、基準取付座４Ａに装着されたインサート２１の切刃２６が、調整取付座４Ｂにクランプネジ７によって装着されただけの状態のインサート２１の切刃２６よりも刃先部２Ｂ先端面から突出することになる。このときの基準取付座４Ａに装着されたインサート２１の切刃２６と、前記調整取付座４Ｂに装着されたインサート２１の切刃２６との軸線Ｏ方向の差は、０．０１ｍｍから０．１０ｍｍ（本実施形態では０．０２ｍｍ）となる。
また、前記調整取付座４Ｂでは、インサート２１の刃先部２Ｂ後端側を向く側面と孔部９に挿入された調整ピース１１の押圧部１２とが当接するようにインサート２１が配置される。
【００３７】
このように構成されたインサート式エンドミル１は、工具本体２後端側のシャンク部２Ａが工作機械の主軸端に取り付けられ、軸線Ｏを中心として工具回転方向Ｔに向けて高速回転されるとともに軸線Ｏと交差する方向に送りを与えられることにより、インサート２１の刃先部２Ｂ径方向外側及び刃先部２Ｂ先端側に向けられた切刃２６によって被切削材を切削するものである。
【００３８】
この構成のインサート式エンドミル１において、切刃２６の振れ調整は次のように行われる。まず、基準取付座４Ａに装着されたインサート２１の切刃２６の軸線Ｏ方向の位置を確認する。この基準取付座４Ａの切刃２６の刃先部２Ｂ先端面からの突出量を基準として残りの調整取付座４Ｂに装着したインサート２１の切刃２６の位置調整を、調整ネジ１６をねじ込んだり緩めたりすることにより行う。
【００３９】
調整ネジ１６をねじ込むと、調整ピース１１の拡径孔１３に当接された調整ネジ１６の頭部１８が拡径孔１３を押圧し、スリット１５の終点を支点として調整ピース１１が押し広げられるように弾性変形し、押圧部１２がインサート２１の刃先部２Ｂ後端側を向く側面を押圧し、インサート２１が刃先部２Ｂ先端側へ突き出される。一方、調整ネジ１６を緩めた場合には、押し広げられるように弾性変形していた調整ピース１１が弾性復帰し、インサート２１の刃先部２Ｂ後端側を向く側面を押圧する力が小さくなり、インサート２１が刃先部２Ｂ後端側へ後退することになる。
【００４０】
本実施形態に係るインサート式エンドミル１によれば、インサート２１を基準取付座４Ａ及び調整取付座４Ｂに装着した際に、基準取付座４Ａに装着されたインサート２１の切刃２６が調整取付座４Ｂに装着されたインサート２１の切刃２６よりも刃先部２Ｂ先端面から突出されるので、この基準取付座４Ａに装着されたインサート２１の切刃２６を基準として切刃２６の振れ調整を行うことができ、切刃２６の振れ調整作業を簡単にかつ確実に行うことができる。
【００４１】
また、基準取付座４Ａに装着されたインサート２１の切刃２６と、調整取付座４Ｂに装着されたインサート２１の切刃２６との軸線Ｏ方向の差が、０．０１ｍｍから０．１０ｍｍ、本実施形態では０．０２ｍｍとなるように構成されているので、切刃２６の突出量を切削加工に適したものとすることができ、インサート２１の破損や刃先部２Ｂと被切削材との接触などのトラブルを未然に防ぐことができる。
【００４２】
また、この基準取付座４Ａには、インサート２１の刃先部２Ｂ後端側を向く側面と当接される当接面８が形成されているので、インサート２１の位置が確実に固定され、切刃２６の振れ調整作業中にインサート２１が動いてしまうことがなく、基準となる切刃２６の突出量が安定することになる。よって、切刃２６の振れ調整を精度良くかつ確実に行うことができる。
【００４３】
また、インサート２１の軸線Ｏ方向の位置を調整ネジ１６によって進退可能に調整できるので、切刃２６の突出量の調整を簡単に行うことができる。
また、調整ピース１１が弾性変形することでインサート２１を押圧するとともに調整ネジ１６自体も締め付けられるように押圧されるので、このインサート式エンドミル１を高速回転した際に調整ネジ１６が緩んでしまうことが防止され、切刃２６の突出量を確実に維持しつつもインサート２１を強固に固定することができる。
【００４４】
また、調整機構が、筒体状をなす調整ピース１１と、この調整ピース１１が挿入される孔部９とで構成されており、この孔部９が刃先部２Ｂ径方向に沿うように穿設されているので、刃先部２Ｂを切り欠く部分が小さく、このエンドミル１の剛性を確保できるとともに、小径のエンドミル１であってもインサート２１の切刃２６の振れ調整を行うことができる。
【００４５】
さらに、基準取付座４Ａ及び調整取付座４Ｂの刃先部２Ｂ径方向外側を向く壁面５にクランプネジ孔が形成され、インサート２１がその厚さ方向を刃先部２Ｂ径方向と略一致させるようにして取り付けられているので、この取付座４を形成するために刃先部２Ｂを切り欠く部分を小さくすることができ、このインサート式エンドミル１の剛性を確保できるとともに、小径のエンドミル１であってもインサート数を減らす必要がない。
【００４６】
また、インサート２１のすくい面２５全面にダイヤモンドで構成された切刃部２３が配置され、このすくい面２５の辺稜部に切刃２６が形成されているので、このインサート２１の切刃２６を再研磨した場合でも、新たな切刃２６もダイヤモンドで構成されることになり、インサート２１の寿命延長を図ることができる。また、切刃２６がダイヤモンドで構成されているので、被切削材がアルミやアルミ合金であった場合にも良好に切削加工することができる。
【００４７】
以上、本発明の実施形態であるインサート式エンドミルについて説明したが、本発明はこれに限定されることはなく、その発明の技術的思想を逸脱しない範囲で適宜変更可能である。
例えば、インサートを４つ備えたものとして説明したが、これに限定されることはなく、このエンドミルの外径や被切削材の種類等に応じて適宜設定することが好ましい。
【００４８】
また、調整機構を、筒体状をなす調整ピースとこの調整ピースを挿入する孔部とで構成したもので説明したが、調整機構の構成に限定はなく、例えば、調整ネジでインサートの側面を押圧して調整するものやクサビ材の側面でインサートを押圧して調整するような調整機構であってもよい。ただし、本実施形態のような調製ピースを用いることで、刃先部を切り欠く部分を小さく抑えることができるので好ましい。
【００４９】
また、インサートをクランプネジで固定するインサート式エンドミルで説明したが、インサートをクサビ部材で工具本体との間で挟装して固定するものでも良い。ただし、クランプネジで固定したものではインサートがずれたりすることなく強固に固定されているので好ましい。
また、インサートの切刃部をダイヤモンドで構成されたものとして説明したが、ｃＢＮ焼結体等の他の硬質材料で構成されていてもよく、インサート本体と同様に超硬合金で構成されていても良い。
【図面の簡単な説明】
【００５０】
【図１】本発明の実施形態であるインサート式エンドミルの側面図である。
【図２】図１に示すインサート式エンドミルの底面図である。
【図３】図１に示すインサート式エンドミルに備えられた基準取付座の側面拡大図である。
【図４】図１に示すインサート式エンドミルに備えられた調整取付座の側面拡大図である。
【図５】図４に示す調整取付座に具備された調整ピースの正面図である。
【図６】図５に示す調整ピースの側面断面図である。
【符号の説明】
【００５１】
１  インサート式エンドミル
２  工具本体
２Ａ  シャンク部
２Ｂ  刃先部
３  チップポケット
４Ａ  基準取付座
４Ｂ  調整取付座
５  刃先部径方向外側を向く壁面
７  クランプネジ
８  当接面
９  孔部
１０  調整ネジ孔
１１  調整ピース
１２  押圧部
１３  拡径孔
１４  小径孔
１５  スリット
１６  調整ネジ
１８  頭部
２１  インサート
２３  切刃部
２５  すくい面
２６  切刃
【図１】
2007136573.tif 000003
【図２】
2007136573.tif 000004
【図３】
2007136573.tif 000005
【図４】
2007136573.tif 000006
【図５】
2007136573.tif 000007
【図６】
2007136573.tif 000008